(57)【要約】      （修正有）【課題】異物の滞留している場所がストレーナエレメントの外側であることによって、異物を除去し清掃しようとしてストレーナキャップを取り外すのに際しては異物が周囲に散らばり易く、ドレントラップを含めた装置が屋内に位置している場合には周囲の状況に配慮しなければならず、特別に異物を拭取る清掃を丁寧に行う必要があった。【解決手段】圧縮空気と、圧縮空気を冷凍式エアードライヤ１０によって冷却することで露化して発生したドレン水を、両者一緒に混在した流体としてドレンセパレータ３０を構成している気液と異物を分離するエレメントの内側に送り込まれることを可能とし、流体がエレメントを全量通過する様に、また内部に異物が留まる様に形成し、その後ドレン水がドレンセパレータ３０の底部内側に貯留される中で、ドレンセパレータ３０の底部を電磁式ドレントラップ５０に接続することで圧縮空気の力によってドレン水を排出するようにした。【選択図】図１
2013002628.tif 000002
【特許請求の範囲】
【請求項１】
圧縮空気と、圧縮空気を冷凍式エアードライヤ内に位置して冷却することが可能な蛇管を経由させることで露化して発生したドレン水を、前記蛇管にドレンセパレータを接続することで、そのまま両者一緒に混在した流体は前記ドレンセパレータを構成している気液と異物を分離するエレメントの内側に送り込まれることを可能とし、流体が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とする圧縮空気を乾燥させることにより発生したドレン水の排出装置。
【請求項２】
圧縮空気と、圧縮空気を冷凍式エアードライヤによって冷却することで露化して発生したドレン水を、前記冷凍式エアードライヤの底部にドレンセパレータを接続することで、そのまま両者一緒に混在した流体は前記ドレンセパレータを構成している気液と異物を分離するエレメントの内側に送り込まれることを可能とし、流体が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とする圧縮空気を乾燥させることにより発生したドレン水の排出装置。
【請求項３】
圧縮空気を冷凍式エアードライヤによって冷却することで露化して発生したドレン水を、前記冷凍式エアードライヤの底部にドレンセパレータを接続することで、ドレン水は前記ドレンセパレータを構成している異物を分離するエレメントの内側に送り込まれることを可能とし、ドレン水が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とする圧縮空気を乾燥させることにより発生したドレン水の排出装置。
【請求項４】
前記冷凍式エアードライヤと前記ドレンセパレータと前記電磁式ドレントラップは、一体に構成したものであることを特徴とする請求項１ないし請求項３のいずれか１項に記載の圧縮空気を乾燥させることにより発生したドレン水の排出装置。
【請求項５】
前記エレメントは、トップカバーに螺着できるボルトと、前記エレメントの端部を下方から保持する板と、前記板を前記ボルトに固定するナットによって支えるものであり、４０〜２００メッシュの金網によるものであることを特徴とする請求項１ないし請求項４のいずれか１項に記載の圧縮空気を乾燥させることにより発生したドレン水の排出装置。
【請求項６】
前記電磁式ドレントラップは、一定の時間毎に、一定の時間の間作動させるものであることを特徴とする請求項１ないし請求項５のいずれか１項に記載の圧縮空気を乾燥させることにより発生したドレン水の排出装置。
【請求項７】
前記電磁式ドレントラップは、前記ドレンセパレータ内の前記ドレン水が一定の量溜まった際に、一定の時間の間作動させるものであることを特徴とする請求項１ないし請求項５のいずれか１項に記載の圧縮空気を乾燥させることにより発生したドレン水の排出装置。
【請求項８】
圧縮空気と、圧縮空気を冷凍式エアードライヤによって冷却することで露化して発生したドレン水を、両者一緒に混在した流体としてドレンセパレータを構成している気液と異物を分離するエレメントの内側に送り込まれることを可能とし、流体が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とする圧縮空気を乾燥させることにより発生したドレン水の排出方法。
【請求項９】
圧縮空気を冷凍式エアードライヤによって冷却することで露化して発生したドレン水を、ドレンセパレータを構成している異物を分離するエレメントの内側に送り込まれることを可能とし、ドレン水が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とする圧縮空気を乾燥させることにより発生したドレン水の排出方法。
【発明の詳細な説明】
【技術分野】
【０００１】  本発明は、圧縮空気を乾燥させることにより発生したドレン水の排出装置および排出方法に関する技術であって、更に詳細に述べると、圧縮空気と、圧縮空気を冷凍式エアードライヤによって冷却することで露化して発生したドレン水を、両者一緒に混在した流体としてドレンセパレータを構成している気液と異物を分離するエレメントの内側に送り込まれることを可能とし、流体がエレメントを全量通過する様に、また内部に異物が留まる様に形成し、その後ドレン水がドレンセパレータの底部内側に貯留される中で、ドレンセパレータの底部を電磁式ドレントラップに接続することで圧縮空気の力によってドレン水を排出する技術について述べたものであり、圧縮空気を、冷却することによって乾燥させることと、ドレン水を、時には圧縮空気も含めて、異物の分離に配慮したものであり、その中でも異物をエレメントの内部に留まるようにした点が大切なのであり、更にはドレン水を自動的に排出するようにした、これ等を併せ持った技術に関して述べたものである。
【背景技術】
【０００２】  従来、圧縮空気を乾燥させることにより発生したドレン水の排出装置および排出方法に関係する技術としては、電磁弁とストレーナより構成されたドレントラップにおいて、ストレーナの流路をどのように形成するかということに関する技術（例えば、特許文献１参照）を見ることが出来る。
【先行技術文献】
【特許文献】
【０００３】  先ず、圧縮空気を乾燥させることにより発生したドレン水の排出装置および排出方法に類似している、従来のドレントラップについて、特許文献１によって説明する。【０００４】  この場合、特許文献１に於いて、電磁弁２０とストレーナ４０より構成されたドレントラップにおいて、ストレーナ４０は、流体の入口４９ａと出口４９ｂと入口４９ａに連通しているボディの流路４９ｃを形成したストレーナボディ４９と、センターボルトの流路４６ａを形成したセンターボルト４６と、ストレーナエレメント４５より構成され、入口４９ａとストレーナエレメント４５とセンターボルト４６と出口４９ｂとの間にストレーナ４０全体としての流路を形成した技術が示されている。
【特許文献１】特開平１１−２０１３８９
【発明の概要】
【発明が解決しようとする課題】
【０００５】  しかしながら、このような圧縮空気を乾燥させることにより発生したドレン水の排出装置および排出方法に類似している、従来のドレントラップに関しては、以下に示すような課題があった。【０００６】  先ず、ドレン水がストレーナエレメントを通過する時に、異物を除去するようにはなってはいるが、異物の滞留している場所がストレーナエレメントの外側であることによって、異物を除去し清掃しようとしてストレーナキャップを取り外すのに際しては異物が周囲に散らばり易く、ドレントラップを含めた装置が屋内に位置している場合（特に、きれいな場所であることを必要とする場合）には周囲の状況に配慮しなければならず、特別に異物を拭取る清掃を丁寧に行う必要があった。【０００７】  また、圧縮空気内に含まれた異物は、圧縮空気配管の途中に異物を除去する装置を設ければよいという発想しかなかった。【０００８】  従って、圧縮空気とドレン水から異物を除去することを共用して構成するという発想にはなかった。
【課題を解決するための手段】
【０００９】  本発明は、圧縮空気と、圧縮空気を冷凍式エアードライヤ内に位置して冷却することが可能な蛇管を経由させることで露化して発生したドレン水を、前記蛇管にドレンセパレータを接続することで、そのまま両者一緒に混在した流体は前記ドレンセパレータを構成している気液と異物を分離するエレメントの内側に送り込まれることを可能とし、流体が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とし、更には、圧縮空気と、圧縮空気を冷凍式エアードライヤによって冷却することで露化して発生したドレン水を、前記冷凍式エアードライヤの底部にドレンセパレータを接続することで、そのまま両者一緒に混在した流体は前記ドレンセパレータを構成している気液と異物を分離するエレメントの内側に送り込まれることを可能とし、流体が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とし、更には、圧縮空気を冷凍式エアードライヤによって冷却することで露化して発生したドレン水を、前記冷凍式エアードライヤの底部にドレンセパレータを接続することで、ドレン水は前記ドレンセパレータを構成している異物を分離するエレメントの内側に送り込まれることを可能とし、ドレン水が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とし、更には、前記冷凍式エアードライヤと前記ドレンセパレータと前記電磁式ドレントラップは、一体に構成したものであることを特徴とし、更には、前記エレメントは、トップカバーに螺着できるボルトと、前記エレメントの端部を下方から保持する板と、前記板を前記ボルトに固定するナットによって支えるものであり、４０〜２００メッシュの金網によるものであることを特徴とし、更には、前記電磁式ドレントラップは、一定の時間毎に、一定の時間の間作動させるものであることを特徴とし、更には、前記電磁式ドレントラップは、前記ドレンセパレータ内の前記ドレン水が一定の量溜まった際に、一定の時間の間作動させるものであることを特徴とすることによって、上記課題を解決したのである。【００１０】  また、本発明は、圧縮空気と、圧縮空気を冷凍式エアードライヤによって冷却することで露化して発生したドレン水を、両者一緒に混在した流体としてドレンセパレータを構成している気液と異物を分離するエレメントの内側に送り込まれることを可能とし、流体が前記エレメントを全量通過する様に、また内部に異物が留まる様に形成し、その後ドレン水が前記ドレンセパレータの底部内側に貯留される中で、前記ドレンセパレータの前記底部を電磁式ドレント��ップに接続することで圧縮空気の力によってドレン水を排出することを特徴とし、更には、圧縮空気を冷凍式エアードライヤによって冷却することで露化して発生したドレン水を、ドレンセパレータを構成している異物を分離するエレメントの内側に送り込まれることを可能とし、ドレン水が前記エレメントを全量通過する様に、また内部に異物が留まる様に形成し、その後ドレン水が前記ドレンセパレータの底部内側に貯留される中で、前記ドレンセパレータの前記底部を電磁式ドレントラップに接続することで圧縮空気の力によってドレン水を排出することを特徴とすることによって、上記課題を解決したのである。
【発明の効果】
【００１１】  以上の説明から明らかなように、本発明によって、以下に示すような効果をあげることが出来る。【００１２】  第一に、圧縮空気と、圧縮空気を冷凍式エアードライヤ内に位置して冷却することが可能な蛇管を経由させることで露化して発生したドレン水を、蛇管にドレンセパレータを接続することで、そのまま両者一緒に混在した流体はドレンセパレータを構成している気液と異物を分離するエレメントの内側に送り込まれることを可能とし、流体がエレメントを全量通過する様に、また内部に異物が留まる様に形成し、その後ドレン水がドレンセパレータの底部内側に貯留される中で、ドレンセパレータの底部を電磁式ドレントラップに接続することで圧縮空気の力によってドレン水を排出することで、この様な構成によって、乾燥した圧縮空気を作り出し、ある程度までの大きさの異物に関しては、圧縮空気とドレン水の両者一体に混在した流体から同時に分離することが可能となり、更には分離した異物をエレメントの内側に留まらせることで清掃を容易にし、その上でドレン水の自動的排出を可能にした。【００１３】  第二に、圧縮空気と、圧縮空気を冷凍式エアードライヤによって冷却することで露化して発生したドレン水を、冷凍式エアードライヤの底部にドレンセパレータを接続することで、そのまま両者一緒に混在した流体はドレンセパレータを構成している気液と異物を分離するエレメントの内側に送り込まれることを可能とし、流体がエレメントを全量通過する様に、また内部に異物が留まる様に形成し、その後ドレン水がドレンセパレータの底部内側に貯留される中で、ドレンセパレータの底部を電磁式ドレントラップに接続することで圧縮空気の力によってドレン水を排出することで、この様な構成によって、乾燥した圧縮空気を作り出し、ある程度までの大きさの異物に関しては、圧縮空気とドレン水の両者一体に混在した流体から同時に分離することが可能となり、更には分離した異物をエレメントの内側に留まらせることで清掃を容易にし、その上でドレン水の自動的排出を可能にした。【００１４】  第三に、圧縮空気を冷凍式エアードライヤによって冷却することで露化して発生したドレン水を、冷凍式エアードライヤの底部にドレンセパレータを接続することで、ドレン水はドレンセパレータを構成している異物を分離するエレメントの内側に送り込まれることを可能とし、ドレン水がエレメントを全量通過する様に、また内部に異物が留まる様に形成し、その後ドレン水がドレンセパレータの底部内側に貯留される中で、ドレンセパレータの底部を電磁式ドレントラップに接続することで圧縮空気の力によってドレン水を排出することで、この様な構成によって、乾燥した圧縮空気を作り出し、ある程度までの大きさの異物に関しては、分離した異物をエレメントの内側に留まらせることで清掃を容易にし、その上でドレン水の自動的排出を可能にした。【００１５】  第四に、冷凍式エアードライヤとドレンセパレータと電磁式ドレントラップは、一体に構成したことで、運搬や設置に便利な、圧縮空気より露化することで発生したドレン水の自動的排出を意図した、時には異物の除去にも配慮した一体型の冷凍式エアードライヤを可能とした。【００１６】  第五に、エレメントは、トップカバーに螺着できるボルトと、エレメントの端部を下方から保持する板と、板を前記ボルトに固定するナットによって支えるものであり、４０〜２００メッシュの金網によるものであることで、この様な構成と大きさによって、確実に異物を分離し、作動不良の起こしにくい電磁式ドレントラップを可能にした。【００１７】  第六に、電磁式ドレントラップは、一定の時間毎に、一定の時間の間作動させるものであることで、別の動力を必要としないで、最小限の圧縮空気を使用することで、確実にドレン水の排出を可能とした。【００１８】  第七に、電磁式ドレントラップは、ドレンセパレータ内のドレン水が一定の量溜まった際に、一定の時間の間作動させるものであることで、別の動力を必要としないで、最小限の圧縮空気を使用することで、確実にドレン水の排出を可能とした。
【図面の簡単な説明】
【００１９】
【図１】  本願発明の全体を示した図
【図２】  本願発明のドレンセパレータの詳細図
【図３】  本願発明の別の全体を示した図
【図４】  本願発明の更に別の全体を示した図
【図５】  本願発明の他のドレンセパレータの詳細図
【発明を実施するための形態】
【００２０】  以下、本発明の実施の形態を図面と共に詳細に説明する。
ここで、図１は、本願発明の全体を示した図であり、図２は、本願発明のドレンセパレータの詳細図であり、図３は、本願発明の別の全体を示した図であり、図４は、本願発明の更に別の全体を示した図であり、図５は、本願発明の他のドレンセパレータの詳細図である。
【００２１】（第一の実施例）
図１に見られるように、１０は冷凍式エアードライヤであって、冷凍式エアードライヤ本体１１と、冷媒循環装置１２と、冷媒配管１３ａ、１３ｂと、冷凍式エアードライヤ本体１１内に位置していて圧縮空気を流すことが出来るようになっていて周囲に冷却効果を高めるフィン１５を形成した蛇管１４より構成されている。
【００２２】  この場合、冷媒循環装置１２は、具体的に図示していないが、圧縮機と凝縮機から構成され、冷凍式エアードライヤ本体１１そのものが冷媒を流体と気体に分離し液体が圧縮機に吸い込まれないようにするアキュムレータの役目をしていて、アンモニアやフレオン・・・等の冷媒が、冷媒循環装置１２と、冷媒配管１３ａと、冷凍式エアードライヤ本体１１と、冷媒配管１３ｂと、冷媒循環装置１２の間を循環することによって、蛇管１４の内部を通る圧縮空気を冷却するような構造になっている。  但し、アキュムレータに関しては、冷凍式エアードライヤ本体１１とは別の場所に（冷媒循環装置１２の一部として）設けても構わない。
【００２３】  但し、冷凍式エアードライヤ本体１１に関しては、アキュムレータの役目を持たせないで冷媒配管１３ａ、１３ｂの各々に接続した他の冷媒配管（例えば、蛇管１４と背中合わせに冷媒配管としての蛇管を位置させる。  この場合、以降に記載している、図３と図４に見られる冷媒配管１２と、同じ内容のものとなる。）を位置させ、アキュムレータの機能を冷媒循環装置１２の方に構成させることも考えられる。  従って、この場合の冷凍式エアードライヤ本体１１の位置付けとしては、単なる冷却を確実にする為の覆いにしかすぎないことになる。  いずれにしても、蛇管１４の部分を冷却することを目的としているのである。
【００２４】  当然のことながら、蛇管１４は、上流は圧縮空気配管１０１に接続していて、具体的には図示していないが、圧縮空気配管１０１の更に上流には、空気圧縮機が位置していると考えてよい。  一方、蛇管１４の下流には、圧縮空気配管１０２が接続し、圧縮空気と、冷凍式エアードライヤ１０によって冷却された圧縮空気が冷却することで露化して発生したドレン水の、その両者がそのまま混在した状態の流体として下流の方に流れて行くことになる。
【００２５】  そして、圧縮空気配管１０２には、気液と異物を分離するドレンセパレータ３０と、圧縮空気配管１０３に接続することで、乾燥した圧縮空気２０１としてエアーシリンダやエアーモータ・・・等を使用している各種の機器に流すことが出来るようになっているのである。  但し、具体的に示していないが、圧縮空気配管１０３の途中には、エアーフィルターやエアータンクや空気乾燥装置等の機器を位置させるということは考えられる。
【００２６】  ここで、ドレンセパレータ３０は、図２に見られるように、トップカバー３１と、板３２と、フィルター支持体３３と、ボルト３４と、ナット３５と、エレメント３６と、ハウジング３７と、手動バルブ３８と、Ｏリング３９Ａ、３９Ｂより構成されていて、上部に位置しているトップカバー３１と、このトップカバー３１の下方に着脱自在に螺合によって取着されたハウジング３７が在って、上記ハウジング３７の内部には、流体が自由に通れる通口を有する円筒状のフィルター支持体３３がトップカバー３１の下方に連設され、この円筒状のフィルター支持体３３の内周には気液と異物を分離する円筒状のエレメント３６が押脱自在に取着されている。
【００２７】  また、上記トップカバー３１には、エレメント３６の内部に連なる流体の流入口３１ａが形成されており、更にはエレメント３６の内部から円筒状の気液と異物を分離するエレメント３６とフィルター支持体３３を経由した後の、フィルター支持体３３とハウジング３７の間からその先に連なっている流出口３１ｂが形成されている。  この場合、フィルター支持体３３に関しては、構成しないという場合も考えられる。
【００２８】  一方、このような円筒状のエレメント３６を円筒状のフィルター支持体３３より挿脱自在にする方法としては、トップカバー３１に螺着出来るボルト３４と、フィルター支持体３３とエレメント３６の端末を下方から保持する板３２と、板３２をボルト３４に固定するナット３５によるものである。
【００２９】  更に、圧縮空気とドレン水の両者が一緒に混在した流体がドレンセパレータ３０を流れる際にそこから流体が洩れるのを防止する方法としては、トップカバー３１とハウジング３７の間にＯリング３９Ａを、トップカバー３１とエレメント３６とフィルター支持体３３の間にＯリング３９Ｂを位置させている。  但し、フィルター支持体３３を構成しない場合には、有効に固定するという配慮から、図２に見られるＯリング３９Ｂの固定する位置を多少変更する場合も考えられる。  また、エレメント３６と板３２の間にパッキンを位置させるということも考えられる。
【００３０】  尚、前述のようにＯリング３９Ｂやパッキンを使用するのは、トップカバー３１から、トップカバー３１とエレメント３６と板３２の間に流れ込んだ、圧縮空気とドレン水の両者が一緒に混在した流体が、それ等の間から洩れることも無く、異物を確実に補足してそれ等の内部に留め、更に流体の全部がエレメント３６を通過することが出来るようにするためである。
【００３１】  その上で、エレメント３６に関しては、４０〜２００メッシュの金網によるものであることが望ましいが、金網に拘る必要も無く、気液と異物の分離から考えて８０〜１２０メッシュであることが最も望ましいと言える。  特に、異物を捕捉してエレメント３６の内部に留めるということは、後に述べる、下流に位置させている電磁式ドレントラップ５０の流体が流れる流路のうちの、特に最小断面積のような所に異物が停滞することで作動不良をおこすことを中心に配慮したものであり、その為に８０〜１２０メッシュに制限することで、最小断面積に近い所に較べてかなり小さめの異物を捕捉せずにそのまま流すようにして、その一方では停滞すると作動不良をおこす大きめの異物を確実に捕捉するという考えの基に示したものである。
【００３２】  所で、ドレンセパレータ３０のエレメント３６によって流体から分離したドレン水２０３は、ハウジング３７の底部３７ａの内側及びその延長上に溜まってくる。  そこで、このドレン水２０３を排出するには、ハウジング３７の底部３７ａに位置していて手動によって開閉可能な手動バルブ３８にドレン水配管１１１を接続して、一定の時間毎に一定の時間の間ドレン水３０３を圧縮空気と共に送り出す電磁式ドレントラップ５０と、ドレン水配管１１２を経由して、ドレン水２０２を排出することを可能にしている。  従って、ドレン水の排出には、ドレンセパレータ３０内の圧縮空気の一部を利用して排出するようになっているのである。
【００３３】  この場合、電磁式ドレントラップ５０に関しては、ドレンセパレータ３０内のドレン水２０３が一定の量溜まった際に、その時点で一定の時間の間ドレン水３０３を圧縮空気と共に送り出すような構成も、ドレンセパレータ３０内に位置センサーを設置する等と共に考えられる。
【００３４】  ここで、冷凍式エアードライヤ１０とドレンセパレータ３０と電磁式ドレントラップ５０に関しては、これ等三者と、時にはこれ等三者に関係する配管等の部品も含めて、箱の中や基板の上に位置させることで一体に構成することも考えられる。  尚、この様に一体に構成するということは、運搬の時や設置に際して便利なだけでなく、圧縮空気を乾燥させようとして冷凍式エアードライヤ１０を使用した際に、発生したドレン水を含んだ気液を分離した後に、最終的に電磁式のドレントラップ５０によって自動的に処理することが可能となり、更に圧縮空気と発生するドレン水を含め異物をドレンセパレータ３０によって除去することで、且つエレメントの内部に異物が留まる様に形成することで、異物の処理まで配慮して、下流の機器に異物による異常が発生するのを防止し、これ等のことが自然に対応されることになるのである。
【００３５】  本発明による、圧縮空気を乾燥させることにより発生したドレン水の排出装置および排出方法は前述したように構成されており、以下にその動作についてその内容を具体的に説明する。
【００３６】  先ず、冷凍式エアードライヤ１０が作動している中で、冷媒循環装置１２から冷却した気化した状態の冷媒が、冷媒配管１３ａを経由して冷凍式エアードライヤ本体１１の内部に送り込まれ、更に冷媒配管１３ｂを通って冷媒循環装置１２にと循環している。一方、上流の空気圧縮機に接続している圧縮空気配管１０１からは、その下流に接続している蛇管１４に圧縮空気が送り込まれることで、圧縮空気が冷却され、露化してドレン水を発生させている。  その結果、圧縮空気とドレン水は、両者一緒に混在した流体となって、更に圧縮空気配管１０２を経由して、ドレンセパレータ３０に送り込まれるようになっている。
【００３７】  そして、ドレンセパレータ３０に於いて流体は、流入口３１ａよりトップカバー３１を通って、トップカバー３１とエレメント３６の内側と板３２に囲まれた空間に送り込まれて、更にエレメント３６とフィルター支持体３３を通過しようとする。  この様にして、流体に含まれた異物はエレメント３６の内側に残り、圧縮空気とドレン水の混在した流体は、エレメント３６とフィルター支持体３３を通って、フィルター支持体３３とハウジング３７の間に流出する。
【００３８】  ここで、圧縮空気は、エレメント３６を通過した後で、フィルター支持体３３とハウジング３７の間から上部に位置しているトップカバー３１と流出口３１ｂを通り、圧縮空気配管１０３を経由して、乾燥した圧縮空気２０１として使用することが可能となっている。一方、ドレン水２０３は、ハウジング３７内側の底部３７ａ及びその延長上に貯留されることになる。
【００３９】  尚、貯留されたドレン水２０３は、手動バルブ３８とドレン水配管１１１と電磁式ドレントラップ５０を経由して、ドレン水配管１１２からドレン水２０２として排出することが可能となっている。  この場合、電磁式ドレントラップ５０は、一定の時間毎に一定の時間の間ドレン水２０３を圧縮空気と共に送り出している。  また、電磁式ドレントラップ５０は、ドレンセパレータ３０内のドレン水２０３が一定の量溜まった際に、その時点で一定の時間の間ドレン水２０３を圧縮空気と共に送り出すということも考えられる。
【００４０】（第二の実施例）
図３に見られるように、１０Ａは冷凍式エアードライヤであって、冷凍式エアードライヤ本体１１Ａと、冷媒循環装置１２と、冷媒配管１３より構成されている。
【００４１】  この場合、冷媒循環装置１２は、具体的に図示していないが、圧縮機と凝縮機とアキュムレータから構成され、アンモニアやフレオン・・・等の冷媒が冷媒循環装置１２と冷媒配管１３の間を循環することによって空間部である冷凍式エアードライヤ本体１１Ａ内に送り込まれた圧縮空気を冷却するような構造になっている。  そして、冷凍式エアードライヤ本体１１Ａ内に一部が位置している冷媒配管１３には、冷却効果を高める目的で、冷媒配管１３の外側にフィン１５Ａを形成している。
【００４２】  一方、冷媒配管１３の一部が位置していて、冷却することが可能な冷凍式エアードライヤ本体１１Ａの内部の空間部には、上流に空気圧縮機と接続した圧縮空気配管１０１より、圧縮空気が送り込まれるようになっている。  従って、送り込まれた圧縮空気は、冷却されることで露化し、ドレン水を発生させ、冷凍式エアードライヤ本体１１Ａの底部及びその延長上に最終的にはドレンセパレータ３０の底部３７ａに貯留していく。  即ち、冷凍式エアードライヤ本体１１Ａ内のこのドレン水と圧縮空気の混在した流体は、圧縮空気配管１０２を経由してドレンセパレータ３０に送り込まれる。
【００４３】  ここで、冷凍式エアードライヤ１０Ａとドレンセパレータ３０と電磁式のドレントラップ５０に関しては、第一の実施例と同じように、これ等三者と、時にはこれ等三者に関する配管等の部品も含めて、箱の中や基板の上に位置させることで一体に構成することも考えられる。
【００４４】  所で、第一の実施例と第二の実施例の大きな違いは、冷却しようとする圧縮空気を、第一の実施例に於いては、蛇管１４に見られる配管の内部を通すのに対し、第二の実施例に於いては、冷凍式エアードライヤ本体１１Ａに見られる空間部の内部を通していることである。  即ち、圧縮空気が冷却される部分を通る時間が、配管を通ることで短いか、空間部を通ることで長いかということになるのである。
【００４５】  尚、ドレンセパレータ３０や電磁式ドレントラップ５０に関しては、第一の実施例に示した内容と同じになるので、詳細を述べることは省略する。
【００４６】  本発明による、圧縮空気を乾燥させることにより発生したドレン水の排出装置および排出方法は前述したように構成されており、以下にその動作についてその内容を具体的に説明する。
【００４７】  先ず、冷凍式エアードライヤ１０Ａが作動している中で、冷媒循環装置１２から冷却した気化した状態の冷媒が，冷凍式エアードライヤ本体１１の内部に一部が位置していてその外側にフィン１５Ａを形成した冷媒配管１３に送り込まれ循環しながら、冷凍式エアードライヤ本体１１の内部を冷却することを可能にしている。  一方、上流の空気圧縮機に接続している圧縮空気配管１０１からは、その下流に接続している冷凍式エアードライヤ本体１１Ａの内部の空間部に圧縮空気が送り込まれることで、圧縮空気が冷却され、露化してドレン水を発生させている。  その結果、圧縮空気とドレン水は、両者一緒に混在した流体となって、更に圧縮空気配管１０２を経由して、ドレンセパレータ３０に送り込まれるようになっている。
【００４８】  ここで、ドレンセパレータ３０や電磁式ドレントラップ５０に関しては、第一の実施例に示した内容と同じになるので、詳細を述べることは省略する。
【００４９】（第三の実施例）
図４に見られるように、１０Ｂは冷凍式エアードライヤであって、冷凍式エアードライヤ本体１１Ｂと、冷媒循環装置１２と、冷媒配管１３より構成されている。
【００５０】  この場合、冷媒循環装置１２は、具体的に図示していないが、圧縮機と凝縮機とアキュムレータから構成され、アンモニアやフレオン・・・等の冷媒が冷媒循環装置１２と冷媒配管１３の間を循環することによって空間部である冷凍式エアードライヤ本体１１Ｂ内の圧縮空気を冷却するような構造になっている。  そして、冷凍式エアードライヤ本体１１Ｂ内に一部の位置している冷媒配管１３には、冷却効果を高める目的で、冷媒配管１３の外側にフィン１５Ａを形成している。
【００５１】  一方、冷媒配管１３の一部が位置していて、冷却することが可能な冷凍式エアードライヤ本体１１Ｂの内部の空間部には、上流に空気圧縮機と接続した圧縮空気配管１０１より、圧縮空気が送り込まれるようになっている。  従って、送り込まれた圧縮空気は、冷却されることで露化し、ドレン水を発生させ、冷凍式エアードライヤ本体１１Ｂの底部及びその延長上に、最終的にはドレンセパレータ３０Ａの底部３７ａに貯留していく。そして、冷凍式エアードライヤ本体１１Ｂ内の冷却した圧縮空気は、冷凍式エアードライヤ本体１１Ｂに接続している圧縮空気配管１０４を経由して、乾燥した圧縮空気２０１としてエアーシリンダやエアーモータ・・・等を使用している各種の機器に流すことが出来るようになっているのである。  但し、具体的に示していないが、圧縮空気配管１０４の途中には、エアーフィルターやエアータンクや空気乾燥装置等の機器を位置させるということは考えられる。
【００５２】  従って、第三の実施例が第一の実施例及び第二の実施例と異なる点は、圧縮空気が直接冷凍式エアードライヤ本体１１Ｂより圧縮空気配管１０４を経由して、使用可能となっていることである。
【００５３】  そして、冷凍式エアードライヤ本体１１Ｂ内のドレン水は、ドレン水配管１１０と、ドレンセパレータ３０Ａと、ドレン水配管１１１を経由して、電磁式ドレントラップ５０に送り込まれるようになっている。  この場合、圧縮空気は圧縮空気配管１０４を中心にして流れているが、一部はドレン水配管１１０を経由してドレンセパレータ３０Ａの方にも流れるようになっている。
【００５４】  ここで、ドレンセパレータ３０Ａは、図５に見られるように、トップカバー３１と、板３２と、フィルター支持体３３と、ボルト３４と、ナット３５と、エレメント３６と、ハウジング３７と、手動バルブ３８と、Ｏリング３９Ａ、３９Ｂと、盲栓４１より構成されていて、上部に位置しているトップカバー３１と、このトップカバー３１の下方に着脱自在に螺合によって取着されたハウジング３７が在って、上記ハウジング３７の内部には、流体が自由に通れる通口を有する円筒状のフィルター支持体３３がトップカバー３１の下方に連設され、この円筒状のフィルター支持体３３の内周には異物を分離する円筒状のエレメント３６が押脱自在に取着されている。
【００５５】  また、上記トップカバー３１には、エレメント３６の内部に連なるドレン水の流入口３１ａが形成されており、更にはエレメント３６の内部から円筒状の異物を分離するエレメント３６とフィルター支持体３３を経由した後の、フィルター支持体３３とハウジング３７の間に到達するように形成されている。  この場合、フィルター支持体３３に関しては、構成しないという場合も考えられる。  そして、トップカバー３１の流入口３１ａと反対側の部分には盲栓４１を位置させているが、盲栓４１と同じ目的（例えば、塞ぐや、通さない等。）の機能を持たせる内容で有ればトップカバー３１の形状として別の形のものでも構わない。
【００５６】  一方、このような円筒状のエレメント３６を円筒状のフィルター支持体３３より挿脱自在にする方法としては、更に、圧縮空気とドレン水の両者が一緒に混在した流体がドレンセパレータ３０Ａを流れる際にそこから流体が洩れるのを防止する方法としては、また、フィルター支持体３３を構成しない場合の考え方に関しては、その上、エレメント３６に関しても、第一の実施例や第二の実施例と同じになるので省略する。
【００５７】  所で、ドレンセパレータ３０Ａのエレメント３６によって異物を分離させたドレン水２０３は、ハウジング３７の底部３７ａの内側及びその延長上に溜まってくる。  そこで、このドレン水２０３を排出する目的で、手動によって開閉可能な手動バルブ３８にドレン水配管１１１を接続して、一定の時間ごとに一定の間隔でドレン水を圧縮空気と共に送り出す電磁式のドレントラップ５０と、ドレン水配管１１２を経由して、ドレン水２０２を排出することを可能にしている。
【００５８】  この場合、電磁式のドレントラップ５０に関しても、第一の実施例や第二の実施例と同じになるので省略する。
【００５９】  本発明による、圧縮空気を乾燥させることにより発生したドレン水の排出装置および排出方法は前述したように構成されており、以下にその動作についてその内容を具体的に説明する。
【００６０】  先ず、冷凍式エアードライヤ１０Ｂが作動している中で、冷媒循環装置１２から冷却した気化した状態の冷媒が，冷凍式エアードライヤ本体１１Ｂの内部に一部が位置していてその外側にフィン１５Ａを形成した冷媒配管１３に送り込まれ循環しながら、冷凍式エアードライヤ本体１１Ｂの内部を冷却することを可能にしている。  一方、上流の空気圧縮機に接続している圧縮空気配管１０１からは、その下流に接続している冷凍式エアードライヤ本体１１Ｂの内部の空間部に圧縮空気が送り込まれることで、圧縮空気が冷却され、露化してドレン水を発生させている。  そして、冷凍式エアードライヤ本体１１Ｂ内の冷却した圧縮空気は、冷凍式エアードライヤ本体１１Ｂに接続している圧縮空気配管１０４を経由して、乾燥した圧縮空気２０１としてエアーシリンダやエアーモータ・・・等を使用している各種の機器に流すことが出来るようになっているのである。
【００６１】  また、冷凍式エアードライヤ本体１１Ｂ内のドレン水は、ドレン水配管１１０を経由して、ドレンセパレータ３０Ａに送り込まれるようになっている。  そして、ドレンセパレータ３０Ａに於いて、ドレン水は、流入口３１ａよりトップカバー３１を通って、トップカバー３１とエレメント３６の内側と板３２に囲まれた空間に送り込まれて、更にエレメント３６とフィルター支持体３３を通過しようとする。  この様にして、ドレン水に含まれた異物はエレメント３６の内側に残り、ドレン水は、エレメント３６とフィルター支持体３３を通って、フィルター支持体３３とハウジング３７の間に流出する。
【００６２】  ここで、ドレン水２０３は、ハウジング３７内側の底部３７ａ及びその延長上に貯留されることになる。
【００６３】  尚、貯留されたドレン水２０３は、手動バルブ３８とドレン水配管１１１と電磁式ドレントラップ５０を経由して、ドレン水配管１１２からドレン水２０２として排出することが可能となっている。  この場合、電磁式ドレントラップ５０は、一定の時間毎に一定の時間の間ドレン水２０３を圧縮空気と共に送り出している。  また、電磁式ドレントラップ５０は、ドレンセパレータ３０内のドレン水２０３が一定の量溜まった際に、その時点で一定の時間の間ドレン水２０３を圧縮空気と共に送り出すということも考えられる。
【産業上の利用可能性】
【００６４】  圧縮空気を乾燥させることにより発生したドレン水の排出装置および排出方法に関する技術であって、更に詳細に述べると、圧縮空気と、圧縮空気を冷凍式エアードライヤによって冷却することで露化して発生したドレン水を、両者一緒に混在した流体としてドレンセパレータを構成している気液と異物を分離するエレメントの内側に送り込まれることを可能とし、流体がエレメントを全量通過する様に、また内部に異物が留まる様に形成し、その後ドレン水がドレンセパレータの底部内側に貯留される中で、ドレンセパレータの底部を電磁式ドレントラップに接続することで圧縮空気の力によってドレン水を排出する技術について述べたものであり、圧縮空気を、冷却することによって乾燥させることと、ドレン水を、時には圧縮空気も含めて、異物の分離に配慮したものであり、その中でも異物をエレメントの内部に留まるようにした点が大切なのであり、更にはドレン水を自動的に排出するようにした、これ等を併せ持った技術に関して述べたものである。  この事によって空気圧縮機によって作り出された圧縮空気を乾燥した状態で使用するのに際して、発生したドレン水を人手に頼る事なく排出することを可能としているのである。
【符号の説明】
【００６５】  １０・・・・・・冷凍式エアードライヤ
１０Ａ・・・・・冷凍式エアードライヤ
１０Ｂ・・・・・冷凍式エアードライヤ
１１・・・・・・冷凍式エアードライヤ本体
１１Ａ・・・・・冷凍式エアードライヤ本体
１１Ｂ・・・・・冷凍式エアードライヤ本体
１２・・・・・・冷媒循環装置
１３・・・・・・冷媒配管
１３ａ・・・・・冷媒配管
１３ｂ・・・・・冷媒配管
１４・・・・・・蛇管
１５・・・・・・フィン
１５Ａ・・・・・フィン
３０・・・・・・ドレンセパレータ
３０Ａ・・・・・ドレンセパレータ
３１・・・・・・トップカバー
３１ａ・・・・・流入口
３１ｂ・・・・・流出口
３２・・・・・・板
３３・・・・・・フィルター支持体
３４・・・・・・ボルト
３５・・・・・・ナット
３６・・・・・・エレメント
３７・・・・・・ハウジング
３７ａ・・・・・底部
３８・・・・・・手動バルブ
３９Ａ・・・・・Ｏリング
３９Ｂ・・・・・Ｏリング
４１・・・・・・盲栓
５０・・・・・・電磁式ドレントラップ
１０２・・・・・圧縮空気配管
１０３・・・・・圧縮空気配管
１０４・・・・・圧縮空気配管
１１０・・・・・ドレン水配管
１１１・・・・・ドレン水配管
１１２・・・・・ドレン水配管
２０１・・・・・乾燥した圧縮空気
２０２・・・・・ドレン水
【図１】
2013002628.tif 000003
【図２】
2013002628.tif 000004
【図３】
2013002628.tif 000005
【図４】
2013002628.tif 000006
【図５】
2013002628.tif 000007